Podtech/llm-jp-corpus-v4-ja_patent huggingface dataset:
(57)【要約】【課題】  簡易な方法で浴槽からのオーバーフローを防止する。切り欠き部分にスライドするパネル嵌め込む形式の浴槽において、スライドパネルの移動性能を高める。浴槽への段差低減による出入り機能の向上性を実現する。【解決手段】  浴槽の上側に一部半円形の切り欠き部分を設ける。切り欠き部分の片側に支点となる穴部分を設ける。浴槽内側とスライドパネルが重なる部分に段差を形成し、圧着部分が円形をしたシール部材を切り欠き部分に沿って嵌め込む。シール部材より外周側に、スライドパネルに形成した係止ピンが移動するための空洞部分を設ける。支点および任意の地点に、係止ピンを取り付けたスライドパネルを浴槽本体に嵌め込む。浮力によりスライドパネルを上下方向に回転移動させる。【選択図】図１
2007260373.tif 000002
【特許請求の範囲】
【請求項１】
浴槽の上部に設けた切り欠き部分の片側に支点を設け、該支点を中心として上下方向に回転するパネルを嵌め込んだことを特徴とする浴槽。
【請求項２】
浴槽本体およびスライドパネルに、係止ピンおよび係止ピンが移動するための空洞部分を有する構造の浴槽。
【発明の詳細な説明】
【技術分野】
【０００１】  本発明は浴槽の形状に関するものである。
【背景技術】
【０００２】  従来の浴槽の形状は、浴槽の一部に開口部や切り欠き部分を設置し、閉塞部材を切り欠き部分を嵌め込み、浮力等により閉塞部材を上下させてお湯のオーバーフローに対処する方法や、浴槽前面壁に開閉扉を取り付ける方法。また最初から浴槽の外に貯湯槽を設け、湯量を調節する方法が一般的であった。【０００３】  しかし浴槽に切り欠き部分を設置し、垂直に閉塞部材を嵌め込む方法は、湯量が高くなれば水圧によりシール機能は安定するが、スライド機能の調整が難しい欠点があった。
また開閉扉を取り付ける方法や、切り欠き部分に閉塞部材を浴槽内側から手で嵌め込む方法は、構造は簡易だが、人手による作業が必要になる欠点があった。
【特許文献１】  特開平５−１８４６４０号公報
【非特許文献１】  特開平８−１５４８５７号公報
【特許文献２】  特開平１０−２３４６０５号公報
【特許文献３】  特開平１１−１２８１０１号公報
【非特許文献２】  特開２００５−４０５１７号公報
【発明の開示】
【発明が解決しようとする課題】
【０００４】  簡易な方法で浴槽からのオーバーフローを防止する。切り欠き部分に閉塞部材を嵌め込む形式の浴槽において、一定の水密機能を持たせながら、スライドパネルの移動性能を高める。浴槽への段差低減による出入り機能の向上性を実現する。
【課題を解決するための手段】
【０００５】  浴槽の上部に設けた切り欠き部分の片側に支点を設け、該支点を中心として浮力により上下方向に回転するパネルを嵌め込んだことを特徴とする。
【発明の効果】
【０００６】  本発明の浴槽は、回転パネルを使用することにより、浴槽とパネル間で一定のシールおよびスライド性能が得られるため、簡易な構造でオーバーフローを防止できる。またパネルも取り外しやすいため掃除しやすい利点がある。
【発明を実施するための最良の形態】
【０００７】  浴槽の切り欠き部分の高さを、入浴時の水位変動幅と同程度の浴槽上端から約１０〜２０ｃｍ下にあわせ、湯張り位置も同位置に設定することにより、入浴時の急激な水位変化に対応可能である。
【実施例１】
【０００８】  浴槽（１）の上端部に一部半円形の切り欠き部分（２）を設ける。浴槽の切り欠き部分上部片側に設けた支点（３）を中心として、切り欠き部分（２）より外周側の、浴槽内側とスライドパネル（４）が重なる部分に段差を形成する。浴槽本体の段差部分内側に、圧着部分がなだらかな円形をしたシール部材（５）を、切り欠き部分に沿って嵌め込む。【０００９】  段差部分に設置したシール部材（５）より外周側に、スライドパネル（４）に設置した係止ピン（６）が、回転方向に沿って移動するための空洞部分（７）を設ける。浴槽内側の上端部の切り欠き部分片側に、支点となる係止ピン（６）を嵌めこむための穴部分（８）を設ける。【００１０】  スライドパネル（４）に支点となる係止ピン（６）を設ける。浴槽本体の空洞部分（７）と同じ位置関係に対面する任意の地点に、空洞部分（７）の断面とほぼ同一形状の係止ピン（６）を、スライドパネル（４）に形成する。そのスライドパネル（４）を、浴槽本体（１）に嵌め込む。
【産業上の利用可能性】
【００１１】  ユニットバスの場合、オーバーフロー対策については貯湯槽へ流入させるなどして、ある程度問題は解決されているが、浴槽への跨ぎ段差の低減については、本発明の浴槽壁を下げるほうが利用しやすい。また既存の浴槽だけを取り替える場合も利用できるので、用途が広く省エネにも効果がある。
【図面の簡単な説明】
【００１２】
【図１】立体図
【図２】スライドパネルの立体図
【図３】浴槽内側から見た断面図および切り欠き部分の背面図
【図４】浴槽本体にスライドパネルが嵌め込まれた状態の断面図
【符号の説明】
【００１３】１  浴槽
２  切り欠き部分
３  支点
４  スライドパネル
５  シール部材
６  係止ピン
７  空洞部分
８  支点となる穴部分
【図１】
2007260373.tif 000003
【図２】
2007260373.tif 000004
【図３】
2007260373.tif 000005
【図４】
2007260373.tif 000006
(57)【要約】      （修正有）【課題】掛け布団形状に続く衿部に肩覆いを設けた掛け布団カバー兼用肌掛けを提供する。【解決手段】掛け布団形状に合わせたカバー兼用肌掛け１形状は、衿部外返し２を設け、衿部最上部に肩覆い３を設け、衿部外返し裏端と三方端に面フアスナー５を付着させ、掛け布団にセットすることを特徴とする掛け布団カバー兼用肌掛け１。【選択図】図１
2007260378.tif 000002
【特許請求の範囲】
【請求項１】
掛け布団形状に合わせたカバー兼用肌掛け形状は、衿部外返しを設け、衿部最上部に肩覆いを設け、衿部外返し裏端と三方端に面フアスナーを付着させ、掛け布団にセットすることを特徴とする掛け布団カバー兼用肌掛け。
【発明の詳細な説明】
【技術分野】
【０００１】  本発明は、掛け布団形状に続く衿部に肩覆いを設けた掛け布団カバー兼用肌掛けに関するものである。
【背景技術】
【０００２】  従来、掛け布団にカバーを掛け、その下に肌掛けを使用するものであった。
【発明の開示】
【発明が解決しようとする課題】
【０００３】そのために、次のような問題点があった。
（イ）就寝中、肌掛けが丸まったり肩のあたりが冷えたりするものであった。
（ロ）掛け布団は、裏面と衿部が汚れるものであるが、汚れを防ぐためにすっぽりカバ        ーを掛けることで美しい色模様も隠してしまうことになる。
（ハ）針糸で襟布を縫いつけたりすることは男子には厄介でありピンで留めることは危        険な面もある。
本発明は、これらの問題点を解決するためになされたものである。
【課題を解決するための手段】
【０００４】  掛け布団形状に合わせたカバー兼用肌掛け形状は、衿部外返しを設け、衿部最上部に肩覆いを設け、衿部外返し裏端と三方端に面フアスナーを付着させ、掛け布団にセットする。
以上を特徴とする掛け布団カバー兼用肌掛けである。
【発明の効果】
【０００５】  就寝中、肌掛けが丸まることもなく、肩掛けを用いなくても肩あたりが暖かく、洗濯時の着脱も簡単に行える。
【発明を実施するための最良の形態】
【０００６】以下、本発明の実施形態について説明する。
（イ）掛け布団サイズに合わせたカバー兼用肌掛け（１）は、衿部外返し（２）の最上        部に肩覆い（３）を設け、衿部外返し（２）の裏端部に面フアスナー（５）を付        着させる。肩覆い（３）は、二重仕立てになる。
（ロ）三方面フアスナー（４）は、この面フアスナーに合わせて掛け布団を乗せ留め合        わせることとなり、掛け布団にも同じ間隔を取り面フアスナーを付着させること        になる。また、衿部外返し（２）の裏端部の面フアスナー（５）にも合わせて着        脱する面フアスナーを、掛け布団表に付着させることとなる。
（ハ）以上は、ダブル形状のものであるが、シングルの場合は、肩覆いを２箇所にして        調整する。
【実施例１】
【０００７】  布地は、冬用掛け布団用には、肌さわり良い厚みのある布地で、夏掛け布団用には、肌さわり爽やかな布地で作る。
掛け布団をセットする時は、衿外返し（２）の間に先端部を差込み面フアスナー（４）で留め合わせる。
【図面の簡単な説明】
【０００８】
【図１】  本発明の平面図
【図２】  セットする掛け布団表図、裏に付着面フアスナー位置図
【符号の説明】
【０００９】  １  カバー兼用肌掛け
２  衿部外返し
３  肩覆い
４  三方面フアスナー
５  衿部外返し裏端部面フアスナー
６  掛け布団表
７  掛け布団裏側に示す面フアスナー位置
８  掛け布団表側に示す面フアスナー
【図１】
2007260378.tif 000003
【図２】
2007260378.tif 000004
(57)【要約】【課題】従来、下半身の運動器械はサドルに跨ってペダルを垂直に回す自転車式のものや、ペダルに足を載せ足踏みする方式など、負荷の掛かり方が偏っているものが多かった。したがって一種類の器械のみでのバランスの取れた下半身の鍛錬が困難であった。それを除くために全身でバランスをとりながら下半身全体を鍛錬する運動器械を提供する。【解決手段】水平に回転する左右１対の回転盤（３ａ）（３ｂ）に互いに１８０度位置をずらして１対のペダル（５ａ）（５ｂ）を取付け、さらに左右１対の回転盤（３ａ）（３ｂ）を連動させる事と、これに負荷を掛ける事を兼ねたオイル封入式負荷器（７）を取付ける。左右１対の回転盤と負荷器はそれぞれの歯車により連結されており、双方の回転盤は任意の同じ方向に回転される事を特徴とする。【選択図】図１
2007260377.tif 000002
【特許請求の範囲】
【請求項１】
水平に回転する左右１対の回転盤（３ａ）（３ｂ）に互いに１８０度位置をずらしてペダル（５ａ）（５ｂ）を取付け、オイル封入式負荷器（７）を連結した下半身の運動器械
【発明の詳細な説明】
【技術分野】
【０００１】この発明は水平に回転する左右１対の回転盤にペダルを取付け、オイル封入式負荷器を連結した下半身の運動器械に関するものである。
【背景技術】
【０００２】従来、下半身の運動器械はサドルに跨ってペダルを垂直に回す自転車式のものや、ペダルに足を載せ足踏みする方式など、負荷の掛かり方が偏っているものが多かった。
【発明の開示】
【発明が解決しようとする課題】
【０００３】これには次のような欠点があった。
運動器械の種類により負荷の掛かる部位が偏っているため、一種類の器械のみでのバランスの取れた下半身の鍛錬が困難であった。
本発明は、以上のような欠点を除くためになされたものである。
【課題を解決するための手段】
【０００４】水平に回転する左右１対の回転盤（３ａ）（３ｂ）に互いに１８０度位置をずらして１対のペダル（５ａ）（５ｂ）を取付ける。
左右１対の回転盤（３ａ）（３ｂ）を連動させる事と、これに負荷を掛ける事を兼ねたオイル封入式負荷器（７）を取付ける。
左右１対の回転盤と負荷器はそれぞれの歯車により連結されており、双方の回転盤は任意の同じ方向に回転されるようになっている。
以上の構成からなる下半身の運動器械である。
【発明の効果】
【０００５】発明は以上のような構成になっているため、回転を加える時は左右の脚が互いに反発した動きになり、外転及び内転の双方で縫工筋・大腿筋膜張筋・大腿四頭筋・前脛骨筋・長指伸筋・腰三角筋・大殿筋・大腿二頭筋・半腱様筋・半腹様筋・腓腹筋・ヒラメ筋など下半身に備わっている殆どの筋肉と直立してバランスをとる為の全ての筋肉に負荷が掛けられるものである。
尚、負荷方式を永久磁石式やオイル封入式との併用式にしてもよく、回転盤の連結をベルトやチェーンにしても良い。
【発明を実施するための最良の形態】
【０００６】水平に回転する左右１対の回転盤（３ａ）（３ｂ）に互いに１８０度位置をずらして１対のペダル（５ａ）（５ｂ）を取付ける。
左右１対の回転盤（３ａ）（３ｂ）を連動させる事と、これに負荷を掛ける事を兼ねたオイル封入式負荷器（７）を取付ける。
左右１対の回転盤と負荷器はそれぞれの歯車により連結されており、双方の回転盤は任意の同じ方向に回転されるようになっている。
本発明は以上のような構成で、これを使用する時は１対のペダル（５ａ）（５ｂ）にそれぞれ別の足を乗せて任意の方向に回転させ、互いに反発した動きにより下半身の筋肉に負荷を掛けるものである。
【図面の簡単な説明】
【０００７】
【図１】本発明の斜視図である。
【図２】本発明の負荷器の一部を切り欠いた一部断面図である。
【符号の説明】
【０００８】１    基盤
２ａ  軸
２ｂ  軸
３ａ  回転盤
３ｂ  回転盤
４ａ  軸
４ｂ  軸
５ａ  ペダル
５ｂ  ペダル
６    軸
７    オイル封入式負荷器
８    オイル封入式負荷器の内部固定式オイル容器
９    オイル封入式負荷器の回転部に連結固定されている内部の羽根
１０  オイル通過穴
【図１】
2007260377.tif 000003
【図２】
2007260377.tif 000004
(57)【要約】      （修正有）【課題】  口を開けて寝る癖を口を閉じて寝れるように矯正を図る手段のチンピロウを提供する。【解決手段】  複数のスポンジ、各スポンジに取り付けられたゴム紐Ｆ・Ｇ・Ｈ・Ｆ”・Ｇ”・Ｈ”および、この６本のゴム紐を繋止する厚めの布地Ｉの材料で構成される。これらはすべて肌に優しい材料で構成される。チンピロウの工作にあたりこれを使う人の顔形そして顎との連形についてそのサイズを図りスポンジの大きさゴム紐の長さなど調節して作る。使用に際しては、スポンジのＪ点線の上に顎を乗せ、Ｋ線で支えて、６本のゴム紐Ｆ・Ｇ・Ｈ・Ｆ”・Ｇ”・Ｈ”と、厚めの布地Ｉで吊るすことにより、口呼吸から鼻呼吸に矯正することができる。【選択図】図４
2007260375.tif 000002
【特許請求の範囲】
【請求項１】
本請求は口を開けて寝る癖を口を閉じて寝るように矯正し習慣付ける顎の枕である。
【請求項２】
考案した顎の枕の愛称を「チンピロウ」と銘々し、登録の名称はこの「チンピロウ」の愛称の名で請求する。
【請求項３】
「チンピロウ」の材料はすべて肌に優しいスポンジや布で構成している。
【発明の詳細な説明】
【技術分野】
【０００１】  発明の名称チンピロウは愛称名である、これは顎の枕のことで、その工作材料は一般に市場に売られているスポンジやゴム紐と布等で裁縫して作る。【０００２】  チンピロウはこれを使う人の顔形や顎形のサイズを図り、無理しないで着用することができて、着用してからもきつすぎることなく緩すぎることがなく、長時間着用していても違和感ないように、また取り外す際も簡単に取り外せて全く問題が無いことを十分に確かめ試作検討を重ねて作る。
【背景技術】
【０００３】  口を開けて寝ている人は多いと世間一般の人は言う、口を開けて口で呼吸して寝ている人の多くは自然にイビキをかいている、イビキは後述の通り健康上大変悪く怖いとしている、故に口を閉じて鼻で呼吸して寝るように矯正を促したい。【０００４】  矯正を促す必要について、
１、口を開けて寝ていると喉が渇き口腔や咽喉を痛める、
２、イビキをかいていると無呼吸となる心配があり、慢性の酸欠状態が続き脳や心臓に負担をかけて命を縮める恐れがある、
３、イビキをかきそのために睡眠不足して仕事の失敗やひどい事では交通事故を引き起こしたりしている結果ともなつている、
４、イビキは他の人にたいして大変迷惑をかけその果て思わぬ事にまで発展する場合もある、
等まさしくイビキは怖い、口呼吸をやめて鼻呼吸して寝るようにに矯正を促すところである。
【発明の開示】
【発明が解決しようとする課題】
【０００５】  口を開けて口で呼吸して寝ていると上述しているような課題が伺われる、この課題が大変問題であるので解決のためにチンピロウを考案した。
【課題を解決するための手段】
【０００６】  発明のチンピロウは口呼吸を鼻呼吸に矯正を図る手段として考案した。【０００７】  チンピロウは課題を解決するための手段として考案した健康具である、その使用方法は簡単で無理しないで着用ができる、そして着用していて違和感が無く、長期間着用していても後遺症やそのほかなんの心配も無い。【０００８】  このチンピロウを作る材料はスポンジとこれを覆う布切れとゴム紐、そしてこのコム紐をとめる厚めの布切れなど、すべて肌に優しいものばかりで工作する。
【発明の効果】
【０００９】  発明の目的は従来口を開けて寝る癖を口を閉じて寝れるように矯正することで、考案のチンピロウはまさしくその矯正具で、これを着用することににより成果があると信じる、その特徴としている形態については次ぎの項で述べる。
【発明の実施するための最良の形態】
【００１０】  課題を解決するための最良の矯正具をと考えて、本案のチンピロウについては構想から試作へそして試用を重ね、まづ無理しないで簡単に着用することができることを第一条件とし、２番手は安価にで仕上がるようにとして、以下工作材料など図面により説明する。
【００１１】  図Ａ・Ｂ・Ｃ・Ｄ・Ｅはスポンジ、Ｆ・Ｇ・Ｈ及びＦ”・Ｇ”・Ｈ”はゴム紐Ｉは６本のゴム紐を繋止する厚めの布地である。
このように使用している材料はすべて肌に優しいものばかりである。
【００１２】  次にチンピロウはＪ点線の上に顎を乗せ、Ｋ線でを支えて、６本のゴム紐で吊るす、図４参照。
ゴム紐のサイズはチンピロウを使う人の顔形や顎の形に合わくて仕立てる。
【図面の簡単な説明】
【００１３】
【図１】  考案のチンピロウの工作過程中スポンジ部分の正面図
【図２】  同上横面図
【図３】  同上を上から見た図
【００１４】
【図４】  考案のチンピロウの正面図、即ち上記１図を布切れで覆い６本のゴム紐を取り付けて、そのゴム紐を纏止めするＩに繋いだ図
【図５】  チンピロウを着用して寝ているところの略図
【符号の説明】
【００１５】    Ａ・Ｂ・Ｃ・Ｄ・Ｅはスポンジ、Ｆ・Ｇ・Ｈ及びＦ”・Ｇ”・Ｈ”はゴム紐、Ｉは６本のゴム紐を纏止する厚めの布を二重に仕立てもの、Ｊ点線はチンピロウの顎を乗せるところＫ線はチンヒムロウを支えるところ
【図１】
2007260375.tif 000003
【図２】
2007260375.tif 000004
【図３】
2007260375.tif 000005
【図４】
2007260375.tif 000006
【図５】
2007260375.tif 000007
(57)【要約】【課題】四級アンモニウム塩等の発泡性の高い薬品存在下であっても、シリコーン系消泡剤成分の使用を不要ないし少量で充分なものとすると共に、高い消泡効果が得られる消泡剤を提供する。【解決手段】シリコーン系消泡剤成分、及び／または、ポリエーテル系消泡剤成分と、脂肪族アルコキシレート系消泡剤成分とからなる消泡剤。【選択図】なし【特許請求の範囲】
【請求項１】
シリコーン系消泡剤成分、及び／または、ポリエーテル系消泡剤成分と、脂肪族アルコキシレート系消泡剤成分とからなることを特徴とする消泡剤。
【請求項２】
水系水にシリコーン系消泡剤成分、及び／または、ポリエーテル系消泡剤成分と、脂肪族アルコキシレート系消泡剤成分とを添加することを特徴とする水系水の消泡方法。
【発明の詳細な説明】
【技術分野】
【０００１】
本発明は、水系の消泡剤、特に、空調用、各種工業用などの開放循環冷却水系で用いられる消泡剤に関する。
【背景技術】
【０００２】
冷却水系および排水処理などの水系において、微生物の繁殖あるいは、薬品の使用による発泡が生じ、泡の飛散やポンプ等のエアかみによる薬注不良などのトラブルが発生することがある。
【０００３】
また、本発明者等は、微生物の繁殖を抑制するスライムコントロール剤として、四級アンモニウム塩（特許文献１）、四級ホスホニウム塩（特許文献２）等を提案している。これらは極めて高いスライムコントロール性を有している優れた薬剤であるが、発泡が激しいために開放循環冷却水系への応用が困難であった。
【０００４】
ここで、従来から水系に使用されてきた消泡剤として代表的なものは、シリコーン系消泡剤が挙げられ、これらは、少量の添加で高い効果が得られるものの、水に難溶（分散性）であるために、入れすぎや長期間の使用により、これら消泡剤成分が土砂等の汚れを巻き込んで系内の機器、配管等へ付着し、特に冷却塔やその周辺の美観を損ない、また、熱交換効率の低下等のアクシデントを引き起こすこともあった。
【０００５】
また、シリコーン系消泡剤以外にも、ポリエーテル系消泡剤やアルコール系の界面活性剤なども使用されてきた（特許文献３）が、これらでは少量の添加では充分な効果を発揮できないという欠点があった。
【特許文献１】特開平１１−１５６３６６号公報
【特許文献２】特開２００２−３０８７１３公報
【特許文献３】特開平９−３０８８０４号公報
【発明の開示】
【発明が解決しようとする課題】
【０００６】
本発明は、上記した従来の問題点を改善する、すなわち、四級アンモニウム塩等の発泡性の高い薬品存在下であっても、シリコーン系消泡剤の使用を不要ないし少量で充分なものとすると共に、高い消泡効果が得られる消泡剤を提供することを目的とする。
【課題を解決するための手段】
【０００７】
本発明の消泡剤は上記課題を解決するため、請求項１に記載の通り、シリコーン系消泡剤成分、及び／または、ポリエーテル系消泡剤成分と、脂肪族アルコキシレート系消泡剤成分とからなることを特徴とする消泡剤である。
【０００８】
また、本発明の水系水の消泡方法は、請求項２に記載の通り、水系水にシリコーン系消泡剤、及び／または、ポリエーテル系消泡剤と、脂肪族アルコキシレート系消泡剤とを添加することを特徴とする水系水の消泡方法である。
【発明の効果】
【０００９】
本発明の消泡剤によれば、少量の添加で高い消泡効果が得られるので低コスト化が可能となり、かつ、水系の機器に付着して汚れや様々な問題を引き起こすシリコーン系消泡剤の使用を大幅に減らすことができる。特に、発泡性の高い他の薬剤の水系水への添加時に併用すれば特に効果的である。
【発明を実施するための最良の形態】
【００１０】
本発明の消泡剤は、シリコーン系消泡剤成分、及び／または、ポリエーテル系消泡剤成分と、脂肪族アルコキシレート系消泡剤成分とからなる。
【００１１】
シリコーン系消泡剤成分と脂肪族アルコキシレート系消泡剤成分とは適宜の配合比で用いることができるが、通常、有効成分重量比で、１：１０００〜１：２となるよう配合することが、少量の添加で高い効果（これら２種類の成分による相乗効果）を得られるので好ましい。さらに好ましい配合比は１：２００〜１：１０である。
【００１２】
また、ポリエーテル系消泡剤成分と脂肪族アルコキシレート系消泡剤成分との組合せにおいても、適宜の配合比で用いることができるが、通常、有効成分重量比で、１：５０〜５０：１となるよう配合することが、少量の添加で高い効果（これら２種類の成分による相乗効果）を得られるので好ましい。さらに好ましい配合比は１：１０〜１０：１である。
【００１３】
本発明において、上記シリコーン系消泡剤成分、ポリエーテル系消泡剤成分及び脂肪族アルコキシレート系消泡剤成分の３種の成分を同時に水系水に添加することもできるが、上記２種成分の組合せで充分高い効果が得られる。
【００１４】
水系への添加量に関しては、脂肪族アルコキシレート系消泡剤とシリコーン系消泡剤との組合せにおいては、有効成分が水系水に対して０．１ｍｇ／Ｌ以上１００ｍｇ／Ｌ以下となるように添加することが好ましく、より好ましい範囲は０．５ｍｇ／Ｌ以上２０ｍｇ／Ｌ以下である。０．１ｍｇ／Ｌ未満での添加では充分な効果が得られない場合があり、また、１００ｍｇ／Ｌ以上の高濃度となるように添加しても添加量の増加に見合う効果の増加は得られない。
【００１５】
一方、脂肪族アルコキシレート系消泡剤とポリエーテル系消泡剤との組合せにおいては、水系への添加量は有効成分が水系水に対して０．１ｍｇ／Ｌ以上１００ｍｇ／Ｌ以下となるように添加することが好ましく、より好ましい範囲は１ｍｇ／Ｌ以上４０ｍｇ／Ｌ以下である。ここで、０．１ｍｇ／Ｌ未満での添加では充分な効果が得られない場合があり、また、１００ｍｇ／Ｌ以上の高濃度となるように添加しても添加量の増加に見合う効果の増加は得られない。
【００１６】
本発明の消泡剤は、その効果が損なわれない限り他の薬品、スライムコントール剤、殺アメーバー剤、殺菌剤、防食剤、防錆剤等と併用することができる。
【実施例】
【００１７】
以下に本発明の消泡剤の実施例について説明する。
５０ｍＬのつくば市水に四級アンモニウム系の薬品（塩化ベンザルコニウム）を有効成分濃度として２０ｍｇ／Ｌとなるよう、添加して、発泡性サンプルとした。
【００１８】
このような発泡性サンプルに、それぞれ表１に示す消泡剤成分を表２に示す添加量で添加して、１００ｍＬのねじ口瓶に入れ、１分間振とうし、泡立ちの状態を目視にて確認した。結果を併せて表２に示した。
【００１９】
【表１】
2007260540.tif 000002
【００２０】
【表２】
2007260540.tif 000003
【００２１】
表２により、本発明によれば、シリコーン系消泡剤成分を不要、ないし、その使用量を極めて少ないレベルに減らすことができ、かつ、消泡剤としての添加量も少ない量で高い泡立ち防止性を発揮することが判る。特に、発泡性の高いカチオン系スライムコントロール剤と併用した場合でも、少量の添加で充分な発泡抑制効果を発揮すると云う優れた効果が得られることが確認された。
【産業上の利用可能性】
【００２２】
本発明は、四級アンモニウム塩等の発泡性の高い薬品存在下であっても、シリコーン系消泡剤の使用を不要ないし少量で充分なものとすると共に、少量の添加で高い消泡効果が得られる消泡剤であり、特に開放循環冷却水系で好適に用い得る。
(57)【要約】【課題】  弱力のLEDで明るい照度を得ようとする発明である。【解決手段】LEDを搭載する板自身を曲面にすること。【選択図】図8
2007305333.tif 000002
【特許請求の範囲】
【請求項１】
LEDを板に直交させ、前記板を曲面にすることを特徴とするLED照明装置。
【発明の詳細な説明】
【技術分野】
【０００１】
本発明は、LED照明装置に関するものである。
【背景技術】
【０００２】
従来は白熱灯、蛍光灯、等々があったが、LEDでは十分な照度が得られなかった。
【０００３】
【発明の開示】
【発明が解決しようとする課題】
【０００４】
弱力のLEDで明るい照度を得ようとする発明である。
【課題を解決するための手段】
【０００５】
LEDを搭載する板自身を曲面にすること。
【発明の効果】
【０００６】
弱力のLEDでも十分な照度を得られる。
【発明を実施するための最良の形態】
【０００７】
LEDを搭載する板自身を曲面にすること。
【実施例１】
【０００８】
図１は公知のLED照明装置で、取り付け板１にLED２が取り付けられている。図２も公知のLED照明装置であって、LED２にそれぞれ反射鏡３が設けられて集合体としたものである。図３は図２の横断面図であって、LED２の後ろに反射板３が多数取り付けられてひとつの照明となっている。
【０００９】
図４は本発明の実施例で、曲面の板４にLED２を多数設けたものであり、こうすることによってF点５が明るい照度となる。この曲面は図５に示す如く円筒形でもよく、図６に示す如く球形でもよい。
【００１０】
図７は図５の円筒形の本発明をスタンドにした実施例であって、円筒状板４に多数のLED３を埋め込み、この円筒状板４を台６を設けたものである。円筒形の重心C.G.が台６の中にあるように設計するので、円筒板４はひっくり返らない。７は前記台を置く机であって、その８部分が明るく照明されるので、本などが明るく読める。
【００１１】
図８も本発明実施例であって、図６の球面４’を使用したもので、机７の点９に焦点があたり、最も明るくなるので、細かいものを見るのに都合がいい。又、台座１０は図７の台座６の如く照射面８側に突き出すことなく照射面９の反対側に突き出しているので、台に邪魔されることなく机面の広い面１１を使うことが出来るし、明るい面の範囲が大きくなる。この為、錘１２を台１０の曲面４’と反対側に設ける。この錘１２はAC１００V１３からの入力をDCに変換、又はLED電圧に変換する変換機を錘１２に兼用さすと、都合が良い。14は球面４’を支えるアームである。
【００１２】
図９も本発明実施例で、図８を９０°方向から見た図である。本発明は上記のほか、種々の変形や組み合わせが考えられが、これらは全て本発明に含まれる。
【産業上の利用可能性】
【００１３】
従来のLEDは暗いので、照明として産業用に使用できなかったが、本発明により産業用に使用できるLEDを得ることになる。
【図面の簡単な説明】
【００１４】
【図１】公知のLED照明装置の正面図
【図２】反射鏡を使った公知のLED照明装置の正面図
【図３】図２の横断面図
【図４】本発明の横断面図
【図５】円筒形の本発明の斜面図
【図６】球形の本発明の斜面図
【図７】図５の円筒形の本発明をスタンドにした実施例の側面図
【図８】図６の球形の本発明をスタンドにした実施例の側面図
【図９】図６の球形の本発明をスタンドにした実施例の正面図
【符号の説明】
【００１５】
１    取り付け板
２    LED
３    反射鏡
４    曲面の板
４’    球面の板
５    F点（一番明るいところ）
６    台
７    机
８    照射面
９    焦点
１０  台
１１  蓋           
１２  錘またはAC/DC変換機
【図１】
2007305333.tif 000003
【図２】
2007305333.tif 000004
【図３】
2007305333.tif 000005
【図４】
2007305333.tif 000006
【図５】
2007305333.tif 000007
【図６】
2007305333.tif 000008
【図７】
2007305333.tif 000009
【図８】
2007305333.tif 000010
【図９】
2007305333.tif 000011
(57)【要約】【課題】本発明は、簡単な構造で、機器の温度上昇を抑制すると共に、ケーブル７を収束可能としたキャビネットラックのヒートシャッタ構造を提供することを目的としている。【解決手段】キャビネットラックに収納される機器の温度上昇を抑制するために、キャビネットラックの内側側面の、機器の給気面と排気面との間にヒートシャッタ５を取り付け、ヒートシャッタ５は、断面略コ字状に折曲形成された本体にケーブル７が挿通可能であるケーブル挿通口６を設けると共に、ケーブル７を支持可能である支持体を設けたことを特徴とする。【選択図】図２
2007305754.tif 000002
【特許請求の範囲】
【請求項１】
各種機器を収納するキャビネットラックの内部の空気の流れを遮断するヒートシャッタ構造であって、前記キャビネットラックに収納される機器の温度上昇を抑制するために、前記キャビネットラックの内側側面の、前記機器の給気面と排気面との間にヒートシャッタを取り付け、該ヒートシャッタは、断面略コ字状に折曲形成された本体にケーブルが挿通可能であるケーブル挿通口を設けると共に、前記ケーブルを支持可能である支持体を設けたことを特徴とするキャビネットラックのヒートシャッタ構造。
【請求項２】
前記キャビネットラックのヒートシャッタ構造であって、前記ケーブル挿通口にシートを貼付し、ケーブルを挿通するのに必要な大きさの開口を任意に切り取ることが可能であることを特徴とする請求項１に記載のキャビネットのキャビネットラックのヒートシャッタ構造。
【発明の詳細な説明】
【技術分野】
【０００１】
本発明は、各種機器を収納するキャビネットラックの内部の空気の流れを遮断するヒートシャッタ構造に関するものである。
【背景技術】
【０００２】
キャビネットラック３１に収納される機器３２は発熱するため、温度上昇を抑制する必要がある。そのために、ヒートシャッタ３３を取り付け、機器の給気面と排気面との空気の流れを遮断し、機器３２から排気された空気が給気されないようにしていた。
【０００３】
一方、機器３２に配線されるケーブルは、キャビネットラック３１の内側にケーブルホルダー３４を取り付け収束していた。
【非特許文献１】カワムララックカタログＮｏ．９  ２００５年８月１日発行
【発明の開示】
【発明が解決しようとする課題】
【０００４】
しかしながら上記従来技術によれば、ヒートシャッタとケーブルホルダは取り付け位置がほぼ同一なため、同時に取り付けることができず、その都度どちらか一方の機能を選択し、ヒートシャッタかケーブルホルダかどちらかを取り付けていた。
【課題を解決するための手段】
【０００５】
そこで本発明は、簡単な構造で、機器の温度上昇を抑制すると共に、ケーブルを収束可能としたキャビネットラックのヒートシャッタ構造を提供することを目的とし、その構造は、キャビネットラックに収納される機器の温度上昇を抑制するために、キャビネットラックの内側側面の、機器の給気面と排気面との間にヒートシャッタを取り付け、ヒートシャッタは、断面略コ字状に折曲形成された本体にケーブルが挿通可能であるケーブル挿通口を設けると共に、ケーブルを支持可能である支持体を設けたことを特徴とする。
【０００６】
また、ケーブル挿通口にシートを貼付し、ケーブルを挿通するのに必要な大きさの開口を任意に切り取ることが可能であることを特徴とする。
【発明の効果】
【０００７】
本発明に係るキャビネットラックのヒートシャッタ構造は、キャビネットラックに収納される機器の温度上昇を抑制するために、キャビネットラックの内側側面の、機器の給気面と排気面との間にヒートシャッタを取り付け、ヒートシャッタは、断面略コ字状に折曲形成された本体にケーブルが挿通可能であるケーブル挿通口を設けると共に、ケーブルを支持可能である支持体を設けたため、ヒートシャッタとケーブルホルダの両方の機能を提供することができる。ヒートシャッタとケーブルホルダを省スペースに取り付けることができる。
【０００８】
また、ケーブル挿通口にシートを貼付し、ケーブルを挿通するのに必要な大きさの開口を任意に切り取ることが可能であるため、ケーブルが挿通される部分だけの開口を設けることができるため、より確実にキャビネットラック内の空気の流れを遮断することができる。
【発明を実施するための最良の形態】
【０００９】
本発明に係るキャビネットラックのヒートシャッタ構造の実施例を図１〜図３の添付図面に基づいて説明する。
【００１０】
キャビネットラック１は四隅にポスト２が立設され、ポスト２間は扉やパネルで施蓋される。ポスト２の内側には機器を取り付けるためのアングル３が金具４を介して設けられている。機器はアングル３に前面側で固定されることが多い。一般的に機器は前面側から給気し背面側から排気される。
【００１１】
機器は、冷気を給気し温められた空気を排気する。排気された空気をまた給気してしまうと、機器の温度はどんどん上昇してしまうので、それを防止するためにヒートシャッタ５を設ける。ヒートシャッタ５はキャビネットラック１の側面のパネルとアングル３とに固定し、本体の形状は断面略コ字状とする。キャビネットラック１にヒートシャッタ５を設けることで機器の背面から排気された暖気が、機器の前面側に回りこむのを防止し、機器の温度上昇を抑制する。
【００１２】
ヒートシャッタ５の背面には、ケーブル挿通口６が設けられる。キャビネットラック１に収納される機器を配線するケーブル７が挿通可能である。また、ヒートシャッタ５の前面にはホルダ８を設け、ケーブル挿通口６を通ってきたケーブル７を支持したり、収束したりすることが可能である。
【００１３】
また、本発明に係るキャビネットラック１のヒートシャッタ構造は、前記構造に限定されるものではなく、例えば、ケーブル挿通口７は広く開口を形成し、上からシート９で被覆するものでもよい。そして、挿通させるケーブル７の太さ、量に合わせてナイフ等でシート９をカットし、ケーブル７を挿通可能とする。必要な開口１０を設けることができ、より確実にヒートシャッタ効果を得られる。
【産業上の利用可能性】
【００１４】
キャビネットラックにはケーブルホルダ機能を搭載したヒートシャッタを設けることで、キャビネットラック内部の空気の流れを遮断し、機器の温度上昇を抑制すると共に、ケーブルを収束することも可能である。
【図面の簡単な説明】
【００１５】
【図１】本発明に係るキャビネットラックのヒートシャッタ構造を示す説明図である。
【図２】本発明に係るキャビネットラックのヒートシャッタを示す説明図である。
【図３】本発明に係るキャビネットラックのヒートシャッタを示す正面図である。
【図４】従来のキャビネットラックの空気の流れを示す説明図である。
【図５】従来のキャビネットラックのヒートシャッタとケーブルホルダの取り付け状態を示す説明図である。
【符号の説明】
【００１６】
１    キャビネットラック
２    ポスト
３    アングル
４    金具
５    ヒートシャッタ
６    ケーブル挿通口
７    ケーブル
８    ホルダ
９    シート
１０  開口
【図１】
2007305754.tif 000003
【図２】
2007305754.tif 000004
【図３】
2007305754.tif 000005
【図４】
2007305754.tif 000006
【図５】
2007305754.tif 000007
(57)【要約】【課題】主に照明器具の天井部取り付け部を目立たないようにする。【解決手段】フレキシブルシート型抜きし、照明器具取り付後に誰でも簡単に組み立て取り付けが出来る。【選択図】図２
2007305553.tif 000002
【特許請求の範囲】
【請求項１】
天井用吊り下げ照明器具器具の、天井部取り付け用部品の種類サイズに関係なく、照明器具取り付け後に任意の位置にセット可能な天井部取り付け用部品を隠す為のカバーセットです。
【発明の詳細な説明】
【技術分野】
【０００１】照明用天井取り付け部品の種類サイズを問わず、照明器具取り付け後に照明コードの任意の位置に誰でも容易に取り付け可能な、フレンジカバーの技術に関する。
【背景技術】
【０００２】従来はインジェクション成型された画一的なフレンジカバーのみしか存在していなかった。
【発明の開示】
【発明が解決しようとする課題】
【０００３】構造が簡単で、誰でも容易に組み立てと、取り付け可能で、デザイン性にすぐれ、低コストのものを作る。
【課題を解決するための手段】
【０００４】平面の素材を型抜きし、誰でも簡単に組み立て取り付け可能とする。
【発明の効果】
【０００５】既製のシートの型抜きの為、照明器具のデザインに合う色が選択可能で、平面シートの簡単な曲げのため、どのような照明器具にもマッチする。
【発明を実施するための最良の形態】
【０００６】多くの場合は天井面にフィットさせる為に、平面シートの展開形は、扇型としその中心部を菊形とし、組み立てを簡単にするため、片方切れ込みと反対側は矢形とする。
【実施例】
【０００７】フレキシブルシートを抜き加工し、平面状にして供給する。
【産業上の利用可能性】
【０００８】スーパーマーケットのレジ電源が天井から供給されているがその天井部のソケットプラグカバー等に利用可能。
【図面の簡単な説明】
【０００９】
【図１】シートの展開を示した平面図である。
【図２】組み立て取り付けを示した図である。
【符号の説明】
【００１０】１  シート展開図
２  組み立て加工状態
３  既存天井部取り付け用部品
【図１】
2007305553.tif 000003
【図２】
2007305553.tif 000004
(57)【要約】      （修正有）【課題】漏電事故を防止する屋外ポール形照明装置を提供する。【解決手段】ポール下部に通気孔付き防水構造５の蓋を付け、ポール上部には太陽電池２と小型換気扇３を付けてポール内部と外部に空気を循環して、電気機器や照明器具４の絶縁劣化による漏電事故の防止と、ポール内部の金属部の発錆防止をする装置。また、ポール上部の照明器具４と屋外照明用ポール本体１の中間に、太陽電池２と小型換気扇３を組み込んだ換気ユニット８を設ける。【選択図】図１
2007305556.tif 000002
【特許請求の範囲】
【請求項１】
屋外ポール形照明装置の上部に太陽電池を設け、そのエネルギーで小型換気扇を回すことにより、ポール内部の空気と外部の空気を循環してポール内部の湿度を軽減して電気機器の絶縁劣化による漏電事故を防止する装置。
【発明の詳細な説明】
【技術分野】
【０００１】本発明は屋外ポール形照明装置のポールの上部に、太陽電池と小型換気扇を付ける。又、ポール下部には通気孔付きで防水構造の蓋を設け、ポール内部の空気と外気を循環してポール内部の湿度を常時改善して電気機器と照明器具の絶縁劣化による漏電事故を防止するものである。
【技術背景】
【０００２】従来のポールでは、気温の変化（夜は低く、昼は高い）によって内部に結露が発生する。
又ポールの埋設部からは、地中からの湿気がポール内部に侵入して水滴が滴るほどに湿度が上昇してしまう。
それが原因で電気機器や照明器具の絶縁を著しく劣化させ、漏電事故の原因となっていた。
【発明の開示】
【発明が解決しようとする課題】
【０００３】従来のポールは昼夜の温度差により内部に結露する。
一方、ポールの埋設部からも湿気が内部に入り込む。
この両方が原因でポール内部には１００％近い湿度が発生し、電気機器や照明器具の絶縁を著しく劣化させて漏電事故の原因となっていた。
【課題を解決するための手段】
【０００４】ポールの下部に、外部の空気を吸入するための吸気孔付きで防水構造の蓋を設ける。又、ポールの上部には太陽池と換気扇を設けて、太陽電池が発電している間は常時換気扇を回す。
上記の装置によってポール内部の空気と外部の空気を循環して内部の湿度を改善する。
その結果、ポール内部の湿度上昇を大幅に軽減でき、電気機器や照明器具の絶縁劣化による漏電事故を防止するものである。
【発明の効果】
【０００５】（イ）ポール内部の空気と外部の空気を換気することにより内部の湿度が下がり、電気機器や照明器具の絶縁劣化による漏電事故を防止する。
（ロ）ポール内部の金属部の錆の発生が大幅に減少する。
【発明を実施するための最良の形態】
【０００６】以下、本発明の実施の形態について説明する。
【実施例１】照明器具と一体型【０００７】図１に示すように、ポール下部の電気機器取り付け部の蓋を５通気孔付き防水構造の蓋にし、ポール上部の４照明器具に２太陽電池と３小型換気扇を組み込む。昼の間は太陽電池のエネルギーにより小型換気扇が回り、ポール内部の湿度の高い空気と外部の空気を常時循環して湿度を下げる。
その結果、電気機器や照明器具の絶縁劣化を防ぎ、漏電事故は起きない。
【実施例２】換気ユニット追加型【０００８】図２に示すように、ポール上部の４照明器具と１屋外照明用ポール本体の中間に、２太陽電池と３小型換気扇を組み込んだ８換気ユニットを設ける。
効果は、上記照明機器と一体型と同じである。
【図面の簡単な説明】
【０００９】
【図１】本発明の全体図（照明器具と換気装置一体型）
【図２】本発明の全体図（換気ユニット追加型）
【図３】換気ユニット
【図４】ポール下部の電気機器取り付け部・蓋開視図
【符号の説明】
【００１０】  １屋外照明用ポール本体
２太陽電池
３小型換気扇
４照明器具（水銀灯等）
５通気孔付き防水構造蓋
６安定器
７ＮＦＢ
８換気ユニット
【図１】
2007305556.tif 000003
【図２】
2007305556.tif 000004
【図３】
2007305556.tif 000005
【図４】
2007305556.tif 000006
(57)【要約】【課題】サーマルリレーや漏電ブレーカーのトリップ動作を容易に発見して、復旧が早くできる発光式トリップ動作表示器付のサーマルリレーと漏電ブレーカーを提供する。【解決手段】サーマルリレーや漏電ブレーカーのトリップ動作表示器を発光式にすることにより各々の動作の発見を容易にし、電気制御機器の故障停止や一般家庭での停電からの復旧を容易に出来る。【特許請求の範囲】
【請求項１】
サーマルリレーや漏電ブレーカーに発光式トリップ動作表示器を設け、サーマルリレーや漏電ブレーカーのトリップ動作の発見をしやすくした電気機器。
【発明の詳細な説明】
【技術分野】
【０００１】本発明はサーマルリレーや漏電ブレーカーに発光式トリップ動作表示器を付けた電気機器である。
【技術背景】
【０００２】従来、サーマルリレーや漏電ブレーカーには、機械式トリップ動作表示器があった。
【発明の開示】
【発明が解決しようとする課題】
【０００３】機械式トリップ動作表示器には、次のような問題点があった。
（イ）サーマルリレーや漏電ブレーカーが動作した場合の目視発見は、機械式のトリップ動作表示器では、ある程度の電気知識があっても難しかった。
（ロ）特に制御盤等で多くのサーマルリレーが設置されている場合は、どのサーマルリレーが動作したのかを、見つけるのが容易ではなかった。
（ハ）一般家庭での漏電や短絡及び過負荷での遮断による停電では、分電盤を見てもブレーカーの遮断の表示が機械式では発見が難しかった。
（ニ）その上、遮断による停電のために周囲が暗くなるので特に発見が困難であった。
【課題を解決するための手段】
【０００４】（イ）機械式トリップ動作表示器の他に発光ダイオードの表示器を付ける。
（ロ）発光表示器の近くの見やすい場所に、発光の理由と復旧方法の説明書を添付する。
以上を特徴とする、電気機器である。
【発明の効果】
【０００５】（イ）トリップ動作表示器を発光式にすることにより、目視の注意の喚起を従来よりも促進することができ、サーマルリレーや漏電ブレーカーのトリップ動作の発見が容易になる。
（ロ）一般家庭では、電気店や電力会社に頼まなくとも、簡単に復旧することができる。
（ハ）制御盤の中で、どのサーマルリレーが動作したのかを容易に発見することができる。
【発明を実施するための最良の形態】
【０００６】以下、本発明の実施の形態について説明する。
【実施例１】▲７▼サーマルリレー本体に▲５▼発光式動作表示器を設ける。
サーマルリレーが動作すると発光式動作器表示器が点灯する。
【実施例２】漏電ブレーカーに、▲１１▼発光式動作表示器を付ける。
漏電ブレーカーが動作すると発光式動作表示器が点灯する。
本発明は以上のような構成で、これを使用すると工場での過負荷による電気制御機器の停止や、一般家庭での漏電・過負荷・短絡等による停電から容易にかつ短時間に復旧することができる。
【図面の簡単な説明】
【０００７】
【図１】本発明のサーマルリレーの斜視図
【図２】本発明のサーマルリレーの電気回路図
【図３】本発明の漏電ブレーカーの斜視図
【図４】本発明の漏電ブレーカーの電気回路図
【符号の説明】
【０００８】（イ）サーマルリレーの符号
▲１▼  電源側端子
▲２▼  リセットボタン
▲３▼  動作電流設定ダイアル
▲３▼  機械式動作表示器
▲４▼  発光式動作表示器
▲６▼  動作信号出力端子
▲７▼  サーマルリレー本体
▲８▼  負荷側端子
（ロ）漏電ブレーカーの符号
▲９▼  電源側端子
▲１０▼  ハンドル
▲１１▼  発光式動作表示器
▲１２▼  テスト釦
▲１３▼  機械式動作表示器
▲１４▼  負荷側端子
【図１】
2007305557.tif 000002
【図２】
2007305557.tif 000003
【図３】
2007305557.tif 000004
【図４】
2007305557.tif 000005
(57)【要約】【課題】浴室内の演出効果を高めることのできる浴室の照明を提供する。【解決手段】内周に複数のＬＥＤ（発光ダイオード）５３を組み込んだ窓枠状の枠体５２を浴室の壁面Ｗに取り付けて、前記枠体５２の浴室内側に光拡散用の拡散板体５６を配設したことである。【選択図】図４
2007305593.tif 000002
【特許請求の範囲】
【請求項１】
内周に複数のＬＥＤ（発光ダイオード）を組み込んだ窓枠状の枠体を浴室の壁面に取り付けて、前記枠体の浴室内側に光拡散用の拡散板体を配設したことを特徴とする浴室の照明。
【請求項２】
内周に複数のＬＥＤ（発光ダイオード）を組み込んだ枠体を浴室の窓の窓サッシに嵌め込んで、該複数のＬＥＤの内周側に光散乱粒子を散りばめた透明部材を設けたことを特徴とする浴室の照明。
【発明の詳細な説明】
【技術分野】
【０００１】
この発明は、浴室の照明に関するものである。
【発明の開示】
【発明が解決しようとする課題】
【０００２】
従来、浴室の照明には蛍光灯や白熱灯が用いられているが、浴室内の演出効果を高めることは困難であった。
【課題を解決するための手段】
【０００３】
本発明は上記従来の問題点に鑑み案出したものであって、浴室内の演出効果を高めることのできる浴室の照明を提供せんことを目的とし、その第１の要旨は、内周に複数のＬＥＤ（発光ダイオード）を組み込んだ窓枠状の枠体を浴室の壁面に取り付けて、前記枠体の浴室内側に光拡散用の拡散板体を配設したことである。
【０００４】
また、第２の要旨は、内周に複数のＬＥＤ（発光ダイオード）を組み込んだ枠体を浴室の窓の窓サッシに嵌め込んで、該複数のＬＥＤの内周側に光散乱粒子を散りばめた透明部材を設けたことである。
【発明の効果】
【０００５】
本発明は、内周に複数のＬＥＤ（発光ダイオード）を組み込んだ窓枠状の枠体を浴室の壁面に取り付けて、前記枠体の浴室内側に光拡散用の拡散板体を配設したことにより、ＬＥＤを制御し、擬似的に夕焼けとか朝焼けを演出させることができ、浴槽内に入りながらリラックスした入浴状態が得られるものとなる。
【０００６】
また、内周に複数のＬＥＤ（発光ダイオード）を組み込んだ枠体を浴室の窓の窓サッシに嵌め込んで、該複数のＬＥＤの内周側に光散乱粒子を散りばめた透明部材を設けたことにより、枠体を後付けで浴室の窓サッシに取り付けて、通常の窓としても使用することができるとともに、ＬＥＤを制御して、例えば夕焼け色とか朝焼け色に似た光を照射させることのできる赤，黄色等のＬＥＤを点灯させる等して、浴室の窓を夕焼けとか朝焼けに擬似的に演出させて、浴室内の演出効果を高めることができるものとなる。
【実施例】
【０００７】
以下、本発明の実施例を図面に基づいて説明する。
図１は実施例を示すものであり、浴室の窓５０の窓サッシ５１に、浴室内側より後付けで嵌め込み可能な枠体５２の内周側には、複数の高輝度ＬＥＤ５３，５３，５３が配設され、また、図２の断面図で示すように、複数のＬＥＤ５３，５３，５３の内周側には、光散乱粒子等を散りばめた透明部材５４を設けて、枠体５２の内周側の隅角部には、ＯＮ，ＯＦＦスイッチ５５ａを備えた制御部５５を設けておくことができ、このような枠体５２を後付けで浴室の窓サッシ５１に取り付けて、通常の窓としても使用することができるとともに、前記ＬＥＤ５３，５３，５３を制御部５５内の基板で制御して、例えば浴室窓５０側のＬＥＤ５３のみを点灯させるとか、また、夕焼け色とか朝焼け色に似た光を照射させることのできる赤，黄色等のＬＥＤ５３，５３を点灯させる等して、浴室の窓５０を夕焼けとか朝焼けに擬似的に演出させて、浴室内の演出効果を高めることができるものとなる。
【０００８】
なお、枠体５２は、窓の無い浴室内にも設置できるように構成して、例えば図３の斜視図で示すように、枠体５２の浴室側に開閉可能にカーテン状の拡散板体５６を配設しておき、このような枠体５２を図４のように浴室３０の壁面Ｗに取り付けて、ＬＥＤ５３を制御し、擬似的に夕焼けとか朝焼けを演出させることができ、浴槽３３内に入りながらリラックスした入浴状態が得られるものとなる。
なお、カーテン状拡散板体５６は、スリガラスで構成しても、また、薄いアクリルとか軟質ＰＰ等の樹脂で形成しても良く、良好に光を拡散して、良好な夕焼けとか朝焼け状態が演出できるものであれば良い。
【図面の簡単な説明】
【０００９】
【図１】実施例の分解斜視構成図である。
【図２】図１の枠体の縦断面構成図である。
【図３】枠体の浴室側にカーテン状の拡散板体を設けた斜視構成図である  。
【図４】図３の枠体を浴室の壁面に設置した状態の使用状態図である。
【符号の説明】
【００１０】
３３  浴槽
５１  窓サッシ
５２  枠体
５３  ＬＥＤ
５４  透明部材
５５  制御部
５５ａ  ＯＮ，ＯＦＦスイッチ
５６  カーテン状拡散板体
【図１】
2007305593.tif 000003
【図２】
2007305593.tif 000004
【図３】
2007305593.tif 000005
【図４】
2007305593.tif 000006
(57)【要約】      （修正有）【課題】防災、防犯の被害、災害発生時に、特に夜間の事件災害等にも即家族及び周辺に警報の発令により助けを求める事を可能にすると共に、警察等にも通信システムを用いて通報する。【解決手段】防犯防災用品保管ケース１に、警報システム２と通信システム手段５を用いた緊急警報通報通信システムを用いた防犯防災用品保管ケース。更に、夜間の事件災害等にも対応出来る様に、照明手段４も用いる。【選択図】図１
2007305088.tif 000002
【特許請求の範囲】
【請求項１】
防災、防犯の緊急時に、警報、通信手段を用いて家族、隣近所、警察等に助けを求める事を可能にした、緊急警報通報通信システムを用いた防犯防災用品保管ケース。
【請求項２】
緊急警報通報通信システムを用いた防犯防災用品保管ケースーには、夜間でも消火器の保管場所が判りやすいような照明手段を設け、災害による停電も考慮して複数の電源供給手段を用いる。
更に、防犯、防災用品使用有効期間を記録して表示する手段を設ける。
【発明の詳細な説明】
【発明の詳細な説明】
【技術分野】
【０００１】本発明は、事件、事故、災害等による被害が無ければ必要とされない防犯、防災用品の保管、更には景観を考慮した保管ケースをとして、災害、被害が発生しそうになったら、即緊急警報通報通信システムにより助けを求める事を可能にしたものである。
本発明は、防犯、防災に大きな効果が期待出来る様に、緊急警報通報通信システムは、もしもの故障を考慮して複数の手段を用いる。
【背景技術】
【０００２】従来、どうしても防犯、防災用品は、何事も無ければ必要とされない為に、隅へ、隅へと置かれています。
特に、消火器などは、普段目の届かない所に置かれてる事が多い。
そして使用有効期間切れ等もあり、使用したくとも使用出来なくなる可能性もあった。
【発明を実施するための最良の形態】
【０００３】本発明は、防犯、防災用品の保管場所が夜間でもすぐわかり、更に防犯、防災による犯罪、事件、事故、火災発生等をいかに早く家族、そして隣近所に緊急警報通報通信システムにより助けを求める事を可能にした、緊急警報通報通信システムを用いた防犯防災用品保管ケース。
【発明の効果】
【０００４】このようにすれば、特に夜間に多い火災、又迷惑な訪問販売、更に、不審者、空き巣狙い、大きな事件に発展する可能性等に、緊急警報通報通信システムを用いた防犯防災保管ケースは、複数の警報を発し、さらに通信手段を用いた通報手段により防犯、防災による被害を未然に防ぐ事が可能とになり、安心効果が大きく期待できます。
【図面の簡単な説明】
【図１】緊急警報通報通信システムを用いた防犯防災用品保管ケース
【符号の説明】
１．防災防犯用品保管ケース
２．警報システム手段
３．警報通報スイッチ手段
４．照明手段
５．通信システム手段
６．防災防犯用品保管ケース蓋
【図１】
2007305088.tif 000003